(57)【特許請求の範囲】
【請求項１】
遊技機の遊技動作を制御する電子部品が実装された電子回路基板と、この電子回路基板を収納するケースと、このケースが取り付けられる基盤の盤面に平行な方向の動きを規制する，前記基盤に立設されたガイド部材と、前記ケース近傍の前記基盤に設けられたキーシリンダと、このキーシリンダの反対側の前記ケース近傍の前記基盤に一端部が回動自在に支持され，倒されると前記ケースに被さって他端部が前記キーシリンダに位置する押さえ部材と、前記キーシリンダに軸支されて所定角度に回動されると倒された前記押さえ部材の他端部に係合し，前記キーシリンダが施錠されると回動しなくなって前記盤面に垂直な方向の前記ケースの動きを規制するストッパとからなる遊技機の電子部品封印構造。
【請求項２】
前記押さえ部材は所定方向に延びた開口部が前記他端部に形成され、前記ストッパは、この開口部を挿通する外形形状に形成され，所定角度に回動されると前記開口部に交差して前記押さえ部材に係合することを特徴とする請求項１記載の遊技機の電子部品封印構造。
【請求項３】
遊技機の遊技動作を制御する電子部品が実装された電子回路基板と、この電子回路基板を収納する，基盤に取り付けられるケースと、このケースの一端部を着脱自在に収容する，両側部が前記基盤に回動自在に支持された収容具と、この収容具に収容された前記ケースの他端部が前記基盤側に倒されると前記基盤の盤面に対向する前記ケースの裏面にキーブロックが突出し，前記ケースの表面にキー穴が露出するキーシリンダと、前記キーブロックの突出部に回動自在に設けられ，前記キーシリンダが施錠されると回動しなくなるストッパと、前記収容具に収容された前記ケースの他端部が前記基盤側に倒された状態で前記ストッパが所定角度に回動されると係合し，前記キーシリンダが施錠されるとこの係合状態が解けなくなる，前記基盤に設けられた係合部とからなる遊技機の電子部品封印構造。
【請求項４】
前記係合部は前記ストッパと係合する部分の前記基盤に所定方向に延びて形成された開口部からなり、前記ストッパは、この開口部を挿通する外形形状に形成され，所定角度に回動されると前記開口部に交差して前記基盤に係合することを特徴とする請求項３記載の遊技機の電子部品封印構造。
【請求項５】
遊技機の遊技動作を制御する電子部品が実装された電子回路基板と、この電子回路基板を収納する，基盤に取り付けられるケースと、このケースをその一側面を残して前記基盤との間に覆うカバーと、前記一側面を覆って塞ぐ側板と、この側板に開いた貫通穴および前記側板に隣接する前記カバーの側壁に開いた貫通穴に挿通されて施錠される鍵とからなる遊技機の電子部品封印構造。
【請求項６】
遊技機の遊技動作を制御する電子部品が実装された電子回路基板と、この電子回路基板を収納するケース本体と、一端部がこのケース本体の一端部に係合し，他端部がこの係合部を中心に回動して前記ケース本体に被せられるケース蓋と、このケース蓋の前記ケース本体との当接面にキーブロックが突出し，前記ケース蓋の表面にキー穴が露出して前記ケース蓋に設けられたキーシリンダと、前記キーブロックの突出部に回動自在に設けられ，前記キーシリンダが施錠されると回動しなくなるストッパと、前記ケース蓋が前記ケース本体に当接した状態で前記ストッパが所定角度に回動されると係合し，前記キーシリンダが施錠されるとこの係合状態が解けなくなる，前記ケース本体に設けられた係合部とからなる遊技機の電子部品封印構造。
【請求項７】
前記係合部は前記ストッパと係合する部分の前記ケース本体に所定方向に延びて形成された開口部からなり、前記ストッパは、この開口部を挿通する外形形状に形成され，所定角度に回動されると前記開口部に交差して前記ケース本体に係合することを特徴とする請求項６記載の遊技機の電子部品封印構造。
【発明の詳細な説明】
【０００１】
【発明の属する技術分野】
本発明は、遊技機の遊技動作を制御する電子部品を封印してこの電子部品に対する不正操作を阻止する遊技機の電子部品封印構造に関するものである。
【０００２】
【従来の技術】
パチンコ機やピンボールゲーム機，スマートボールゲーム機等の弾球遊技機や、スロットマシンといった遊技機のほとんどは、マイクロコンピュータを用いた電子回路によってその遊技動作が制御されている。通常この電子回路には、総括的な演算制御を行う中央処理装置（ＣＰＵ），データの読み取りおよび書き込みが可能な記憶素子（ＲＡＭ），データの読み取りのみ可能な記憶素子（ＲＯＭ）といった電子部品が備えられている。ＣＰＵはこれらＲＡＭ，ＲＯＭを用いて弾球遊技機の役物や、スロットマシンのリール等の動作を制御する。
【０００３】
この種の遊技機における大当たり発生確率はランダム抽選によって行われている。つまり、乱数発生器で発生した乱数をサンプリングし、サンプリングした乱数値が入賞判定テーブルのどの区画の数値範囲に入っているかにより、入賞態様が決定される。入賞判定テーブルは、一定範囲の乱数を各入賞態様に区画するデータからなり、ＲＯＭに記憶されている。ＣＰＵは、サンプリングされた乱数値が例えば入賞判定テーブルのＡ区画に属する場合には大当たりを発生させ、また、Ｂ区画に属する場合には小当たりを発生させ、また、Ｃ区画に属する場合にはハズレとする。
【０００４】
このような大当たり発生確率等のデータを記憶したＲＯＭは、電子回路基板に対して着脱可能に取り付けられており、取り換えることが出来る。ＲＯＭを取り換えることにより、同じ電子回路基板を用いて異なる遊技機種の制御回路基板を容易に構成することが可能である。
【０００５】
このようにＲＯＭが着脱可能な構成になっているため、このＲＯＭを改造したＲＯＭに取り換え、大当たり発生確率等のデータを改ざんし、大量の遊技球やメダル等を不正に獲得する事態が生じている。
【０００６】
従来、このような不正を防止するため、ＲＯＭにまたがる状態で封印シールが電子回路基板に貼られている。また、ＲＯＭが搭載された電子回路基板を収納する基板ケースの本体と蓋とにまたがり、封印シールが貼られている。ＲＯＭを電子回路基板から取り外したり、基板ケースを開けると、その痕跡が封印シールに残り、遊技機に対する不正操作を把握することが出来る。遊技場では各遊技機に貼られた封印シールの状態を定期的にチェックしており、封印シールに剥がされた痕跡がある場合にはその遊技機を直ちに検査する。
【０００７】
【発明が解決しようとする課題】
しかしながら、封印シールは特殊な薬品で容易に剥がすことが出来る。このため、上記従来の遊技機の電子部品封印構造では、ＲＯＭを取り外して改造ＲＯＭに交換したり、基板ケースを開けて電子回路基板自体を改造した電子回路基板に取り換えても、封印シールを再度元の通りに貼り直すと、その痕跡が残らない。従って、従来の遊技機の電子部品封印構造では、ＲＯＭの不正交換を有効に防止することが出来なかった。
【００１０】
【課題を解決するための手段】
本発明はこのような課題を解決するためになされたもので、遊技機の遊技動作を制御する電子部品が実装された電子回路基板と、この電子回路基板を収納するケースと、このケースが取り付けられる基盤の盤面に平行な方向の動きを規制する，基盤に立設されたガイド部材と、ケース近傍の基盤に設けられたキーシリンダと、このキーシリンダの反対側のケース近傍の基盤に一端部が回動自在に支持され，倒されるとケースに被さって他端部がキーシリンダに位置する押さえ部材と、キーシリンダに軸支されて所定角度に回動されると倒された押さえ部材の他端部に係合し，キーシリンダが施錠されると回動しなくなって盤面に垂直な方向のケースの動きを規制するストッパとから遊技機の電子部品封印構造を構成した。
【００１１】
本構成においては、基盤の盤面に垂直な方向においてケースがガイド部材に案内されて基盤盤面に当接され、押さえ部材がその一端部を中心に回動して倒され、ケースに被せられる。ケースに被さった押さえ部材の他端部は、ストッパが基盤の盤面に平行な方向において所定角度に回動されることにより、ストッパに係合させられる。ガイド部材はケースの周囲に当接して基盤の盤面に平行な方向のケースの動きを規制し、押さえ部材はケースの上部に被さって基盤の盤面に垂直な方向のケースの動きを規制する。ストッパはキーシリンダが施錠されると回動しなくなり、ケースは、基盤の盤面に平行および垂直な各方向において動きが規制された状態にロックされる。このロック状態はキーシリンダが解錠されるまで保たれる。
【００１４】
また、遊技機の遊技動作を制御する電子部品が実装された電子回路基板と、この電子回路基板を収納する，基盤に取り付けられるケースと、このケースの一端部を着脱自在に収容する，両側部が基盤に回動自在に支持された収容具と、この収容具に収容されたケースの他端部が基盤側に倒されると基盤の盤面に対向するケースの裏面にキーブロックが突出し，ケースの表面にキー穴が露出するキーシリンダと、キーブロックの突出部に回動自在に設けられ，キーシリンダが施錠されると回動しなくなるストッパと、収容具に収容されたケースの他端部が基盤側に倒された状態でストッパが所定角度に回動されると係合し，キーシリンダが施錠されるとこの係合状態が解けなくなる，基盤に設けられた係合部とから遊技機の電子部品封印構造を構成した。
【００１５】
本構成においては、ケースの一端部が収容具に収容され、その他端部が基盤側に倒されることにより、ケースの裏面に突出するストッパが基盤に設けられた係合部に位置される。この状態でストッパが所定角度に回動されると、ストッパは係合部に係合し、ケースの他端部は基盤に固定される。さらにキーシリンダが施錠されるとストッパと係合部との係合状態は解けなくなり、ケースの他端部が基盤にロックされ、ケースの一端部を収容した収容具の回動動作は規制される。この結果、ケースは基盤の盤面上にロックされ、このロック状態はキーシリンダが解錠されるまで保たれる。
【００１６】
また、遊技機の遊技動作を制御する電子部品が実装された電子回路基板と、この電子回路基板を収納する，基盤に取り付けられるケースと、このケースをその一側面を残して基盤との間に覆うカバーと、この一側面を覆って塞ぐ側板と、この側板に開いた貫通穴および側板に隣接するカバーの側壁に開いた貫通穴に挿通されて施錠される鍵とから遊技機の電子部品封印構造を構成した。
【００１７】
本構成においては、開口した一側面からケースがカバーに挿入され、この一側面が側板によって塞がれる。そして、側板およびカバーの側壁に開いた各貫通穴に鍵が挿通されて施錠されることにより、ケースはカバーと基盤との間の空間に閉じこめられる。この状態は鍵が解錠されて側板が開けられない限り保たれる。
【００２２】
また、遊技機の遊技動作を制御する電子部品が実装された電子回路基板と、この電子回路基板を収納するケース本体と、一端部がこのケース本体の一端部に係合し，他端部がこの係合部を中心に回動してケース本体に被せられるケース蓋と、このケース蓋のケース本体との当接面にキーブロックが突出し，ケース蓋の表面にキー穴が露出してケース蓋に設けられたキーシリンダと、キーブロックの突出部に回動自在に設けられ，キーシリンダが施錠されると回動しなくなるストッパと、ケース蓋がケース本体に当接した状態でストッパが所定角度に回動されると係合し，キーシリンダが施錠されるとこの係合状態が解けなくなる，ケース本体に設けられた係合部とから遊技機の電子部品封印構造を構成した。
【００２３】
本構成においては、ケース蓋の他端部がケース本体との係合部を中心に回動させられて、ケース本体にケース蓋が被せられる。そして、ストッパが所定角度に回動されるとケース蓋はケース本体に固定される。さらに、キーシリンダが施錠されると、ケース蓋はケース本体にロックされ、このロック状態はキーシリンダが解錠されない限り保たれる。
【００３２】
【発明の実施の形態】
次に、本発明による遊技機の電子部品封印構造の一実施形態について説明する。
【００３３】
図１１は本発明が適用される一般的なパチンコ機１を示しており、同図（ａ）はこのパチンコ機１の正面図，同図（ｂ）はその背面図である。
【００３４】
パチンコ機１正面のフロントドア内部には遊技盤２が設けられている。この遊技盤２には多数の障害釘が植設されており、また、中央部には図示しないセンター役物が配置されている。ハンドル３が回動操作されると、上皿４に貯留された遊技球が遊技盤２内に打ち込まれる。遊技盤２内に打ち込まれた遊技球は障害釘に弾かれながら盤面内を流下し、いずれの入賞口にも入らない場合にはアウト口から回収される。
【００３５】
一方、遊技球が一般入賞口に入ると所定個数の遊技球が上皿４に払い出される。また、正面中央に設けられた始動口に遊技球が入賞すると、センター役物に設けられた可変表示装置が回り出す。この可変表示装置が所定図柄を表示して停止した場合には大当たりが発生し、変動入賞装置（チャッカー）が所定時間または遊技球が所定個数入賞するまで開いた状態になる。従って、大当たりが発生すると遊技者は多量の遊技球を短時間に獲得することが出来る。
【００３６】
また、可変表示装置が別の所定図柄を表示して停止した場合には確率変動状態になり、大当たりが極めて発生しやすい状態になる。この確率変動状態における大当たり発生確率は、可変表示装置に停止表示される図柄の組み合わせに応じて予め定められており、通常の遊技状態時よりも極めて高い大当たり発生確率値に設定されている。
【００３７】
パチンコ機１背面の裏機構盤中央には基板ケース５が取り付けられている。なお、この基板ケース５は遊技機種によっては遊技盤２の裏面に取り付けられることもある。基板ケース５の内部にはパチンコ機１の遊技動作を制御する電子部品が実装された遊技基板が収納されている。この遊技基板は電源プラグ６および電源基板ユニット７を介して供給される直流電源を受けて動作する。また、背面上部に位置する払出球タンク８は補給樋から供給される遊技球を貯めており、この遊技球は入賞時にツインレール９および払出球通路１０を介して上皿４に払い出される。また、入賞しなかった遊技球はアウト球通路１１を介して回収樋に回収される。
【００３８】
基板ケース５内に収納された遊技基板には前述したＣＰＵ，ＲＡＭ，ＲＯＭ等の電子部品が実装されている。前述した入賞判定テーブルといった大当たり確率情報等が記憶されたＲＯＭは、ソケット等に挿入されて着脱自在に遊技基板に実装されている。パチンコ機の遊技機種の変更はこのＲＯＭを交換することによって容易に行える。
【００３９】
また、図１２は本発明が適用される一般的なスロットマシン２１を示しており、同図（ａ）はこのスロットマシン２１の斜視図，同図（ｂ）はこのスロットマシン２１のフロントドア２２を開いて観察される機器内部を示す正面図である。
【００４０】
フロントドア２２の正面上部の前面パネルには窓２３が形成されており、この窓２３を通して回転リール２４が観察されている。この回転リール２４はキャビネット２５の中段に内蔵されており、その外周には種々のシンボルが描かれている。遊技者によって投入口２６にメダルが投入され、スタートレバー２７が操作されるとリール２４が回転する。引き続いて遊技者によってストップボタン２８が押圧操作されると、その操作タイミングに応じてリール２４の回転が停止する。この停止時に窓２３を通して観察される各リール２４のシンボルの組み合わせが、所定のシンボルの組み合わせである場合には入賞が生じる。入賞時には機器に内蔵されたホッパ２９から払出口３０へ所定枚数のメダルが払い出され、受け皿３１に貯められる。
【００４１】
入賞時に払い出されるメダルの枚数は入賞態様に応じて異なり、この入賞態様は機器頭部に位置する配当表３２に表示されている。入賞態様には様々な種類があり、「７，７，７」といったシンボル組合せが揃った場合には大当たりが生じる。この大当たりゲームにはビッグボーナスゲームと呼ばれる入賞態様があり、遊技者はこのビッグボーナスゲームにおいて複数回の高配当ゲームを行え、多数のメダルを短時間に獲得することが出来る。また、リーチ目と称されるシンボル組合せがリール２４の回転停止時に表示された場合には、大当たりの発生が近いことが遊技者に示唆される。
【００４２】
リール２４の上部に位置するキャビネット２５の内側背面には木枠３３が設けられており、この木枠３３には基板ケース３４が取り付けられている。基板ケース３４には前述したＣＰＵ，ＲＡＭ，ＲＯＭ等の電子部品が実装された遊技基板が収納されている。このスロットマシン２１においても、前述した入賞判定テーブルといった大当たり確率情報等が記憶されたＲＯＭは、ソケットに挿入されて遊技基板に対して着脱自在に実装されている。スロットマシンの遊技機種の変更はこのＲＯＭを交換することによって容易に行える。
【００４３】
図１は、本発明の第１の実施形態による遊技機の電子部品封印構造が適用された基板ケース４１を示しており、上述した一般的なパチンコ機１における基板ケース５および一般的なスロットマシン２１における基板ケース３４に相当している。同図（ａ）はこの基板ケース４１の平面図、同図（ｂ）は同図（ａ）のｂ―ｂ線破断断面図である。なお、基板ケース４１の形状は直方体をした箱状に表しているが、基板ケース４１が取り付けられる周囲の状況に応じてその形状は適宜変更される。
【００４４】
基板ケース４１は、プラスチック製のケース本体４１ａとこのケース本体４１ａに被せられるプラスチック製のケース蓋４１ｂとからなる。ケース蓋４１ｂの側部には係合部４１ｃが突出して一体形成されている。ケース本体４１ａとケース蓋４１ｂとはツメまたはネジ等で互いに接合されており、これらケース本体４１ａとケース蓋４１ｂとにまたがって図示しない封印シールが貼られている。
【００４５】
基板ケース４１の内部の空間には電子回路基板である遊技基板４２が収納されている。この遊技基板４２は、ケース本体４１ａにスペーサ４３を介して取り付けられており、パチンコ機１やスロットマシン２１といった遊技機の遊技動作を制御する上述した電子部品が実装されている。遊技基板４２の端部には図示しないコネクタが設けられており、遊技基板４２はこのコネクタを介して基板ケース４１の外部装置と電気的に接続される。
【００４６】
また、基板ケース４１の四隅の基盤４５にはガイド部材４４が立設されている。この基盤４５は、遊技機が前述したパチンコ機１の場合には裏機構盤や遊技盤２に相当し、遊技機が前述したスロットマシン２１の場合には木枠３３に相当しており、基板ケース４１が取り付けられる
また、基板ケース４１の近傍の基盤４５にはキーシリンダ４６が設けられており、このキーシリンダ４６の頭部にはストッパ４７が軸支されている。ストッパ４７は、図に破線で示す位置から９０度回動されるとその一端部が係合部４１ｃに係合する。また、キーシリンダ４７が施錠されるとこのストッパ４７は回動しなくなる。
【００４７】
本実施形態においては、基盤４５の盤面に垂直な方向において、基板ケース４１がガイド部材４４に案内されて基盤４５の盤面に当接される。また、基盤４５の盤面に平行な方向において、ストッパ４７が９０度回動されて基板ケース４１に係合させられる。ガイド部材４４は基板ケース４１の周囲に当接して基盤４５の盤面に平行な方向における基板ケース４１の動きを規制し、ストッパ４７は基板ケース４１の上部のケース蓋４１ｂに係合して基盤４５の盤面に垂直な方向における基板ケース４１の動きを規制する。
【００４８】
ストッパ４７が係合部４１ｃに係合した状態でキーシリンダ４６が施錠されると、ストッパ４７は回動しなくなる。従って、基板ケース４１は、基盤４５の盤面に平行および垂直な各方向において動きが規制された状態にロックされる。このロック状態はキーシリンダ４６が解錠されるまで保たれる。なお、本実施形態ではストッパ４７が係合部４１ｃに係合する構成としているが、ストッパ４７がケース蓋４１ｂの天部に直接係合する構成としてもよい。
【００４９】
また、基板ケース４１に収納された遊技基板４２には、図２に示すように、大当たり確率情報等を記憶したＲＯＭ４８がソケット４９に挿入されている。同図（ａ）はＲＯＭ４８の平面図、同図（ｂ）はその側面図を示している。
【００５０】
同図に示すようにソケット４９に固定されたＲＯＭ４８にまたがり、封印シール５０が遊技基板４２に貼られている。この封印シール５０は両端部において接着剤または硬化樹脂５１が被覆されている。ここで、硬化樹脂とは硬化剤によって硬化する樹脂を意味する。また、接着剤または硬化樹脂５１は、封印シール５０の一部ではなく、同図（ｃ）の平面図に示すように封印シール５０の全部を被覆する構成としてもよい。
【００５１】
従来の基板ケースは本体と蓋との２部品がツメやビスなどによって単に結合されて固定されていたため、封印シールを剥がせば簡単に基板ケースを開けることが出来た。しかし、本実施形態においては、キーシリンダ４６が解錠されるまで基板ケース４１は基盤４５にロックされた状態になる。このため、基板ケース４１に貼られた封印シールが剥がされたとしても、基板ケース４１は開かない。このため、本実施形態によれば、遊技基板４２を露出させてＲＯＭ４８を脱着することは困難である。
【００５２】
しかも、本実施形態では、ＲＯＭ４８にまたがってさらに封印シール５０が貼られており、この封印シール５０の両端部が接着剤または硬化樹脂５１によって被覆されている。このため、何らかの手段によって万が一に基板ケース４１が開けられ、ＲＯＭ４８が脱着されても、封印シール５０が剥がされるためにその痕跡が残る。従って、不正操作が遊技機に対して行われたことが直ちに判明し、その対策をとることが可能である。
【００５３】
また、ＲＯＭ４８にまたがる封印シール５０の全部が接着剤または硬化樹脂５１によって被覆されている場合には、封印シール５０自体を剥がすことが困難になり、ＲＯＭ４８の脱着も困難になる。従って、基板ケース４１の封印構造と合わせて二重の封印構造になり、ＲＯＭ４８の不正交換対策が十分に講じられる。
【００５４】
また、上記実施形態の説明においては、ＲＯＭ４８にまたがる封印シール５０の一部または全部を接着剤または硬化樹脂５１によって被覆する場合について説明したが、次のような構成をとることも出来る。つまり、ＲＯＭ４８の一部または全部を透明な接着剤または硬化樹脂５１によって直接被覆し、この接着剤または硬化樹脂５１にまたがって封印シール５０を遊技基板４２に貼る。
【００５５】
本構成のように、ＲＯＭ４８の一部または全部が接着剤または硬化樹脂５１によって直接被覆されている場合には、その上の封印シール５０が剥がされたとしても、ＲＯＭ４８の脱着は困難である。従って、本構成によっても、基板ケース４１の封印構造と合わせて二重の封印構造が実現され、ＲＯＭ４８の不正交換が有効に防止される。
【００５６】
次に、本発明の第２の実施形態による遊技機の電子部品封印構造について、図３を参照して説明する。同図は本実施形態による遊技機の電子部品封印構造が適用された基板ケース６１を示しており、同図（ａ）はこの基板ケース６１の平面図、同図（ｂ）は同図（ａ）のｂ―ｂ線破断断面図である。
【００５７】
この基板ケース６１も、前述した一般的なパチンコ機１における基板ケース５および一般的なスロットマシン２１における基板ケース３４に相当しており、内部にはＲＯＭ４８が着脱自在に実装された上述した遊技基板４２が収納されている。また、基板ケース６１が取り付けられている基盤６２は、遊技機が前述したパチンコ機１の場合には裏機構盤や遊技盤２に相当し、遊技機が前述したスロットマシン２１の場合には木枠３３に相当する。
【００５８】
基板ケース６１は遊技基板４２を収納するケース本体６１ａと、このケース本体６１ａに被せられるケース蓋６１ｂとからなる。これらケース本体６１ａとケース蓋６１ｂとには図示しない封印シールがまたがって貼られている。基板ケース６１の四隅の基盤６２にはガイド部材６３が立設されている。また、基板ケース６１の近傍の基盤６２にはキーシリンダ６４が設けられており、キーシリンダ６４の頭部にはストッパ６５が軸支されている。このストッパ６５はキーシリンダ６４が施錠されると回動しなくなる。
【００５９】
キーシリンダ６４の反対側における基板ケース６１の近傍の基盤６２には、支持具６６が設けられている。この支持具６６にはコの字状をした押さえ部材６７の一端部が回動自在に支持されている。この押さえ部材６７は、一端部を中心に回動して倒されると基板ケース６１に被さり、その他端部がキーシリンダ６４に位置する。押さえ部材６７のこの他端部には係合穴６７ａが開口している。この係合穴６７ａは押さえ部材６７の長手方向に延びて形成されている。ストッパ６５は、この係合穴６７ａに挿通する外形形状に形成されている。
【００６０】
本実施形態においては、基盤６２の盤面に垂直な方向において、基板ケース６１がガイド部材６３に案内されて基盤６２の盤面に当接される。そして、押さえ部材６７がその一端部を中心に回動して倒され、基板ケース６１に被せられる。ストッパ６５は当初その長手方向が図示する向きと直交する方向にあり、押さえ部材６７が倒されると係合穴６７ａにストッパ６５が挿通する。この状態でストッパ６５が基盤６２の盤面に平行な方向において９０度回動されることにより、ストッパ６５は係合穴６７ａに図示するように交差し、基板ケース６１に被さった押さえ部材６７の他端部は、このストッパ６５に係合させられる。
【００６１】
この状態ではガイド部材６３は、基板ケース６１の周囲に当接して基盤６２の盤面に平行な方向における基板ケース６１の動きを規制している。また、押さえ部材６７は、基板ケース６１の上部に被さり、基盤６２の盤面に垂直な方向における基板ケース６１の動きを規制している。また、ストッパ６５はキーシリンダ６４が施錠されると回動しなくなり、基板ケース６１は、基盤６２の盤面に平行および垂直な各方向において動きが規制された状態にロックされる。このロック状態はキーシリンダ６４が解錠されるまで保たれる。
【００６２】
従って、本実施形態においても、基板ケース６１に貼られた封印シールが剥がされたとしても、基板ケース６１は開かない。このため、本実施形態によっても、遊技基板４２を露出させてＲＯＭ４８を脱着することは困難である。
【００６３】
さらに本実施形態でも、基板ケース６１内に収容されたＲＯＭ４８について、上述した第１の実施形態と同様な封印構造が施されている。従って、本実施形態においても、基板ケース６１の封印構造と合わせた二重の封印構造が構成されており、上述した第１の実施形態と同様な効果が奏される。
【００６４】
次に、本発明の第３の実施形態による遊技機の電子部品封印構造について、図４を参照して説明する。同図は本実施形態による遊技機の電子部品封印構造が適用された基板ケース７１を示しており、同図（ａ）はこの基板ケース７１の平面図、同図（ｂ）は本封印構造の要部をｂ―ｂ線で破断した要部破断断面図である。
【００６５】
この基板ケース７１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース７１が取り付けられている基盤７２は、遊技機が前述したパチンコ機１の場合には裏機構盤や遊技盤２に相当し、遊技機が前述したスロットマシン２１の場合には木枠３３に相当する。
【００６６】
基板ケース７１は遊技基板４２を収納するケース本体７１ａと、このケース本体７１ａに被せられるケース蓋７１ｂとからなる。これらケース本体７１ａとケース蓋７１ｂとには図示しない封印シールがまたがって貼られている。また、ケース本体７１ａおよびケース蓋７１ｂの各端部には、周縁部に突出する係合部７１ｃ，７１ｄが一体形成されており、これら各係合部７１ｃ，ｄには貫通穴７３が開いている。
【００６７】
基板ケース７１の一端部は収容具７４に着脱自在に収容されている。この収容具７４は、基盤７２に設けられた支持具７５により、その両側部が基盤７２に回動自在に支持されている。この収容具７４に収容された基板ケース７１の他端部が、基盤７２側に倒されて位置する係合部７１ｃ，ｄの近傍の基盤７２には、固定具７６が設けられている。この固定具７６には貫通穴７７が開いている。
【００６８】
本実施形態においては、基板ケース７１の一端部が収容具７４に収容され、その他端部が基盤７２側に倒されて係合部７１ｃ，ｄが固定具７６の近傍に位置される。この状態で固定具７６および係合部７１ｃ，ｄの各貫通穴７７，７３に南京錠７８が挿通され、この南京錠７８が施錠される。
【００６９】
この施錠状態では、係合部７１ｃ，ｄが形成された基板ケース７１の他端部は固定具７６にロックされるため、基板ケース７１の一端部を収容した収容具７４の回動動作は規制される。この結果、基板ケース７１は基盤７２の盤面上にロックされ、このロック状態は南京錠７８が解錠されるまで保たれる。
【００７０】
従って、本実施形態においても、基板ケース７１に貼られた封印シールが剥がされたとしても、基板ケース７１は開かない。このため、本実施形態によっても、遊技基板４２を露出させてＲＯＭ４８を脱着することは困難である。
【００７１】
さらに本実施形態でも、基板ケース７１内に収容されたＲＯＭ４８について、前述した第１の実施形態と同様な封印構造が施されている。従って、本実施形態においても、基板ケース７１の封印構造と合わせた二重の封印構造が構成されており、前述した第１の実施形態と同様な効果が奏される。
【００７２】
次に、本発明の第４の実施形態による遊技機の電子部品封印構造について、図５を参照して説明する。同図は本実施形態による遊技機の電子部品封印構造が適用された基板ケース８１を示しており、同図（ａ）はこの基板ケース８１の平面図、同図（ｂ）は本封印構造の要部をｂ―ｂ線で破断した要部破断断面図である。
【００７３】
この基板ケース８１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース８１が取り付けられている基盤８２は、遊技機が前述したパチンコ機１の場合には裏機構盤や遊技盤２に相当し、遊技機が前述したスロットマシン２１の場合には木枠３３に相当する。
【００７４】
基板ケース８１は遊技基板４２を収納するケース本体８１ａと、このケース本体８１ａに被せられるケース蓋８１ｂとからなる。これらケース本体８１ａとケース蓋８１ｂとには図示しない封印シールがまたがって貼られている。この基板ケース８１の一端部は収容具８３に着脱自在に収容されている。この収容具８３は、基盤８２に設けられた支持具８４により、その両側部が基盤８２に回動自在に支持されている。
【００７５】
基板ケース８１にはキーシリンダ８５が設けられており、このキーシリンダ８５を構成するキーブロック８５ａは基板ケース８１の裏面に突出している。また、キーシリンダ８５のキー穴８５ｂは基板ケース８１の表面に露出している。基板ケース８１の裏面は、基板ケース８１の他端部が基盤８２側に倒されると基盤８２の盤面に対向する。キーブロック８５ａの突出部にはストッパ８６が設けられており、このストッパ８６はキーシリンダ８５が施錠されると回動しなくなる。
【００７６】
また、基盤８２にはストッパ８６と係合する係合穴８２ａが開口している。この係合穴８２ａは基盤８２の所定方向に延びて形成されている。ストッパ８６は、この係合穴８２ａに挿通する外形形状に形成されている。
【００７７】
本実施形態においては、基板ケース８１の一端部が収容具８３に収容され、その他端部が基盤８２側に倒されることにより、基板ケース８１の裏面に突出するストッパ８６が基盤８２に設けられた係合穴８２ａに位置される。ストッパ８６は当初その長手方向が係合穴８２ａの開口方向と同じ向きにあり、基板ケース８１が倒されると係合穴８２ａにストッパ８６が挿通する。この状態でストッパ８６が基盤８２の盤面に平行な方向において９０度回動されることにより、ストッパ８６は係合穴８２ａに交差し、基板ケース８１の他端部はこの係合穴８２ａに係合して基盤８２に固定される。
【００７８】
さらにキーシリンダ８５が施錠されるとストッパ８６と係合穴８２ａとの係合状態は解けなくなり、基板ケース８１の他端部が基盤８２にロックされ、基板ケース８１の一端部を収容した収容具８３の回動動作は規制される。この結果、基板ケース８１は基盤８２の盤面上にロックされ、このロック状態はキーシリンダ８５が解錠されるまで保たれる。
【００７９】
従って、本実施形態においても、基板ケース８１に貼られた封印シールが剥がされたとしても、基板ケース８１は開かない。このため、本実施形態によっても、遊技基板４２を露出させてＲＯＭ４８を脱着することは困難である。
【００８０】
さらに本実施形態でも、基板ケース８１内に収容されたＲＯＭ４８について、前述した第１の実施形態と同様な封印構造が施されている。従って、本実施形態においても、基板ケース８１の封印構造と合わせた二重の封印構造が構成されており、前述した第１の実施形態と同様な効果が奏される。
【００８１】
次に、本発明の第５の実施形態による遊技機の電子部品封印構造について、図６を参照して説明する。同図は本実施形態による遊技機の電子部品封印構造を示しており、同図（ａ）は本封印構造の平面図、同図（ｂ）は本封印構造の要部をｂ―ｂ線で破断した要部破断断面図である。
【００８２】
本構造における基板ケース９１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース９１が取り付けられている基盤９２は、遊技機が前述したパチンコ機１の場合には裏機構盤や遊技盤２に相当し、遊技機が前述したスロットマシン２１の場合には木枠３３に相当する。
【００８３】
基板ケース９１は遊技基板４２を収納するケース本体９１ａと、このケース本体９１ａに被せられるケース蓋９１ｂとからなる。これらケース本体９１ａとケース蓋９１ｂとには図示しない封印シールがまたがって貼られている。カバー９３はこの基板ケース９１をその一側面を残して基盤９２との間に覆っている。側板９４は、その一端部がカバー９３の端部に回動自在に支持されており、開口したカバー９３の一側面を覆って塞ぐ。この側板９４の端および側板９４に隣接するカバー９３の側壁にはそれぞれ貫通穴が開いている。
【００８４】
本実施形態においては、開口した一側面から基板ケース９１がカバー９３に挿入され、この一側面が側板９４によって塞がれる。そして、側板９４およびカバー９３の側壁に開いた各貫通穴に南京錠９５が挿通されて施錠されることにより、基板ケース９１はカバー９３と基盤９２との間の空間に閉じこめられる。この状態は南京錠９５が解錠されて側板９４が開けられない限り保たれる。
【００８５】
従って、本実施形態においては、基板ケース９１をカバー９３の内部空間から取り出すことは出来ない。このため、本実施形態によっても、遊技基板４２を露出させてＲＯＭ４８を脱着することは困難である。
【００８６】
さらに本実施形態でも、基板ケース９１内に収容されたＲＯＭ４８について、前述した第１の実施形態と同様な封印構造が施されている。従って、本実施形態においても、基板ケース９１の封印構造と合わせた二重の封印構造が構成されており、前述した第１の実施形態と同様な効果が奏される。
【００８７】
次に、本発明の第６の実施形態による遊技機の電子部品封印構造について、図７を参照して説明する。同図は本実施形態による遊技機の電子部品封印構造が適用された基板ケース１０１を示しており、同図（ａ）はこの基板ケース１０１の平面図、同図（ｂ）は本封印構造の要部をｂ―ｂ線で破断した要部破断断面図である。
【００８８】
この基板ケース１０１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース１０１が取り付けられている基盤１０２は、遊技機が前述したパチンコ機１の場合には裏機構盤や遊技盤２に相当し、遊技機が前述したスロットマシン２１の場合には木枠３３に相当する。
【００８９】
基板ケース１０１は遊技基板４２を収納するケース本体１０１ａと、このケース本体１０１ａに被せられるケース蓋１０１ｂとからなる。これらケース本体１０１ａとケース蓋１０１ｂとには図示しない封印シールがまたがって貼られている。また、基板ケース１０１の周縁部の両端には係合部１０１ｃ，１０１ｄが突出して形成されており、各係合部１０１ｃ，ｄには貫通穴１０３，１０４が開いている。また、基盤１０２には一対の固定具１０５，１０６が設けられている。これら各固定具１０５，１０６には、係合部１０１ｃ，ｄの各貫通穴１０３，１０４に一致する貫通穴が開いている。
【００９０】
本実施形態においては、係合部１０１ｃ，１０１ｄの各貫通穴１０３，１０４が固定具１０５，１０６の各貫通穴に一致させられ、基板ケース１０１が図示するように固定具１０５，１０６に当接される。そして、チェーン鍵１０７が各貫通穴に挿通されて基板ケース１０１の周囲に巻回され、施錠される。この施錠状態はチェーン鍵１０７が解錠されるまで保たれ、基板ケース１０１は基盤１０２にロックされる。
【００９１】
従って、本実施形態においても、基板ケース１０１に貼られた封印シールが剥がされたとしても、基板ケース１０１は開かない。このため、本実施形態によっても、遊技基板４２を露出させてＲＯＭ４８を脱着することは困難である。
【００９２】
さらに本実施形態でも、基板ケース１０１内に収容されたＲＯＭ４８について、前述した第１の実施形態と同様な封印構造が施されている。従って、本実施形態においても、基板ケース１０１の封印構造と合わせた二重の封印構造が構成されており、前述した第１の実施形態と同様な効果が奏される。
【００９３】
次に、本発明の第７の実施形態による遊技機の電子部品封印構造について、図８を参照して説明する。同図は本実施形態による遊技機の電子部品封印構造が適用された基板ケース１１１を示しており、同図（ａ）はこの基板ケース１１１の平面図、同図（ｂ）は本封印構造の要部をｂ―ｂ線で破断した要部破断断面図である。
【００９４】
この基板ケース１１１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース１１１は図示しない基盤に従来と同様にして取り付けられる。この基盤は、遊技機が前述したパチンコ機１の場合には裏機構盤や遊技盤２に相当し、遊技機が前述したスロットマシン２１の場合には木枠３３に相当する。
【００９５】
基板ケース１１１は遊技基板４２を収納するケース本体１１２と、このケース本体１１２に被せられるケース蓋１１３とからなる。これらケース本体１１２とケース蓋１１３とには図示しない封印シールが貼られている。ケース蓋１１３の一端部には爪１１３ａが形成されており、また、ケース本体１１２の一端部にはこの爪１１３ａに係合する溝１１２ａが形成されている。また、ケース本体１１２およびケース蓋１１３のそれぞれの他端部の周縁部には係合部１１２ｂ，１１３ｂが突出して形成されている。これら各係合部１１２ｂ，１１３ｂには貫通穴１１４が開いている。
【００９６】
本実施形態においては、爪１１３ａが溝１１２ａに係合した状態で、ケース蓋１１３の他端部がこの係合部を中心に回動させられて、ケース本体１１２にケース蓋１１３が被せられる。そして、ケース本体１１２およびケース蓋１１３の各係合部１１２ｂ，１１３ｂのそれぞれの貫通穴１１４に南京錠１１５が挿通され、ケース蓋１１３がケース本体１１２に固定される。ケース蓋１１３はこの南京錠１１５が解錠されない限りケース本体１１２に被された状態を保つ。
【００９７】
従って、本実施形態においても、基板ケース１１１に貼られた封印シールが剥がされたとしても、基板ケース１１１は開かない。このため、本実施形態によっても、遊技基板４２を露出させてＲＯＭ４８を脱着することは困難である。
【００９８】
さらに本実施形態でも、基板ケース１１１内に収容されたＲＯＭ４８について、前述した第１の実施形態と同様な封印構造が施されている。従って、本実施形態においても、基板ケース１１１の封印構造と合わせた二重の封印構造が構成されており、前述した第１の実施形態と同様な効果が奏される。
【００９９】
次に、本発明の第８の実施形態による遊技機の電子部品封印構造について、図９を参照して説明する。同図は本実施形態による遊技機の電子部品封印構造が適用された基板ケース１２１を示しており、同図（ａ）はこの基板ケース１２１の平面図、同図（ｂ）は本封印構造の要部をｂ―ｂ線で破断した要部破断断面図である。
【０１００】
この基板ケース１２１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース１２１は図示しない基盤に従来と同様にして取り付けられる。この基盤は、遊技機が前述したパチンコ機１の場合には裏機構盤や遊技盤２に相当し、遊技機が前述したスロットマシン２１の場合には木枠３３に相当する。
【０１０１】
基板ケース１２１は遊技基板４２を収納するケース本体１２２と、このケース本体１２２に被せられるケース蓋１２３とからなる。これらケース本体１２２とケース蓋１２３とには図示しない封印シールが貼られている。ケース蓋１２３の一端部には爪１２３ａが形成されており、また、ケース本体１２２の一端部にはこの爪１２３ａに係合する溝１２２ａが形成されている。
【０１０２】
また、ケース蓋１２３にはキーシリンダ１２４が設けられている。このキーシリンダ１２４を構成するキーブロック１２４ａは、ケース蓋１２３のケース本体１２２との当接面に突出している。キーブロック１２４ａのこの突出部にはストッパ１２５が設けられており、このストッパ１２５はキーシリンダ１２４が施錠されると回動しなくなる。また、キーシリンダ１２４のキー穴１２４ｂはケース蓋１２３の表面に露出している。
【０１０３】
また、ケース本体１２２のキーシリンダ１２４との当接部にはストッパ１２５と係合する係合穴１２２ｂが開口している。この係合穴１２２ｂは所定方向に延びて形成されている。ストッパ１２５はこの係合穴１２２ｂに挿通する外形形状に形成されている。
【０１０４】
本実施形態成においては、爪１２３ａが溝１２２ａに係合した状態で、ケース蓋１２３の他端部がこの係合部を中心に回動させられて、ケース本体１２２にケース蓋１２３が被せられる。ケース蓋１２３がケース本体１２２に当接したこの状態では、ケース蓋１２３の裏面に突出するストッパ１２５がケース本体１２２に設けられた係合穴１２２ａに位置される。
【０１０５】
ストッパ１２５は当初その長手方向が係合穴１２２ｂの開口方向と同じ向きにあり、ケース蓋１２３が被せられると係合穴１２２ｂにストッパ１２５が挿通する。この状態でストッパ１２５がケース本体１２２とケース蓋１２３との当接面に平行な方向において９０度回動されることにより、ストッパ１２５は係合穴１２２ｂに交差し、ケース蓋１２３の他端部はこの係合穴１２２ｂに係合してケース本体１２２に固定される。
【０１０６】
さらにキーシリンダ１２４が施錠されるとストッパ１２５と係合穴１２２ｂとの係合状態は解けなくなり、ケース蓋１２３の他端部はケース本体１２２にロックされる。このロック状態はキーシリンダ１２４が解錠されるまで保たれる。
【０１０７】
従って、本実施形態においても、基板ケース１２１に貼られた封印シールが剥がされたとしても、基板ケース１２１は開かない。このため、本実施形態によっても、遊技基板４２を露出させてＲＯＭ４８を脱着することは困難である。
【０１０８】
さらに本実施形態でも、基板ケース１２１内に収容されたＲＯＭ４８について、前述した第１の実施形態と同様な封印構造が施されている。従って、本実施形態においても、基板ケース１２１の封印構造と合わせた二重の封印構造が構成されており、前述した第１の実施形態と同様な効果が奏される。
【０１０９】
次に、本発明の第９の実施形態による遊技機の電子部品封印構造について、図１０を参照して説明する。同図は本実施形態による遊技機の電子部品封印構造が適用された基板ケース１３１を示しており、同図（ａ）はこの基板ケース１３１の平面図、同図（ｂ）はその側面図である。
【０１１０】
この基板ケース１３１も、前述した一般的なパチンコ機１における基板ケース５および一般的なスロットマシン２１における基板ケース３４に相当しており、内部にはＲＯＭ４８が着脱自在に実装された前述した遊技基板４２が収納されている。また、基板ケース１３１は図示しない基盤に従来と同様にして取り付けられる。この基盤は、遊技機が前述したパチンコ機１の場合には裏機構盤や遊技盤２に相当し、遊技機が前述したスロットマシン２１の場合には木枠３３に相当する。
【０１１１】
基板ケース１３１は遊技基板４２を収納するケース本体１３１ａと、このケース本体１３１ａに被せられるケース蓋１３１ｂとからなる。これらケース本体１３１ａとケース蓋１３１ｂとには図示しない封印シールが貼られている。また、これらケース蓋１３１ｂおよびケース本体１３１ａには所定間隔をおいて貫通穴１３２，１３３が開いている。
【０１１２】
本実施形態においては、これら各貫通穴１３２，１３３にチェーン鍵１３４が挿通され、これら各貫通穴１３２，１３３間の基盤ケース１３１の周囲にこのチェーン鍵１３４が巻回され、チェーン鍵１３４が施錠される。この施錠により、ケース蓋１３１ｂはケース本体１３１ａにロックされる。このロック状態はチェーン鍵１３４が解錠されない限り保たれる。
【０１１３】
従って、本実施形態においても、基板ケース１３１に貼られた封印シールが剥がされたとしても、基板ケース１３１は開かない。このため、本実施形態によっても、遊技基板４２を露出させてＲＯＭ４８を脱着することは困難である。
【０１１４】
さらに本実施形態でも、基板ケース１３１内に収容されたＲＯＭ４８について、前述した第１の実施形態と同様な封印構造が施されている。従って、本実施形態においても、基板ケース１３１の封印構造と合わせた二重の封印構造が構成されており、前述した第１の実施形態と同様な効果が奏される。
【０１１５】
【発明の効果】
以上説明したように、ケース蓋とケース本体とが鍵を用いた様々な態様でロックされることにより、封印シールが剥がされたとしても、鍵を有する特定の者以外はケースを開けることが出来ず、電子部品の脱着は困難である。
【０１１８】
このため、大当たり確率情報等を記憶した電子部品の脱着が困難となる。よって、遊技機を制御する電子回路基板の改造が有効に防止され、大量の遊技媒体が不正に剥奪されなくなる。
【図面の簡単な説明】
【図１】本発明の第１の実施形態による遊技機の電子部品封印構造が適用された基板ケースを示す図である。
【図２】本発明の各実施形態による各基板ケース内に収納されたＲＯＭの封印構造を示す図である。
【図３】本発明の第２の実施形態による遊技機の電子部品封印構造が適用された基板ケースを示す図である。
【図４】本発明の第３の実施形態による遊技機の電子部品封印構造が適用された基板ケースを示す図である。
【図５】本発明の第４の実施形態による遊技機の電子部品封印構造が適用された基板ケースを示す図である。
【図６】本発明の第５の実施形態による遊技機の電子部品封印構造が適用された基板ケースを示す図である。
【図７】本発明の第６の実施形態による遊技機の電子部品封印構造が適用された基板ケースを示す図である。
【図８】本発明の第７の実施形態による遊技機の電子部品封印構造が適用された基板ケースを示す図である。
【図９】本発明の第８の実施形態による遊技機の電子部品封印構造が適用された基板ケースを示す図である。
【図１０】本発明の第９の実施形態による遊技機の電子部品封印構造が適用された基板ケースを示す図である。
【図１１】一般的なパチンコ機を示す図である。
【図１２】一般的なスロットマシンを示す図である。
【符号の説明】
４１，６１，７１，８１，９１，１０１，１１１，１２１，１３１…基板ケース
４１ａ，６１ａ，７１ａ，８１ａ，９１ａ，１０１ａ，１１２，１２２，１３１ａ…ケース本体
４１ｂ，６１ｂ，７１ｂ，８１ｂ，９１ｂ，１０１ｂ，１１３，１２３，１３１ｂ…ケース蓋
４２…遊技基板
４４，６３…ガイド部材
４５，６２，７２，８２，９２，１０２…基盤
４６，６４，８５，１２４…キーシリンダ
４７，６５，８６，１２５…ストッパ
４８…ＲＯＭ
５０…封印シール
５１…接着剤または硬化樹脂
６７…押さえ部材
６７ａ，８２ａ，１２２ｂ…係合穴
７３、１０１ｃ，１０１ｄ，１１２ｂ，１１３ｂ…係合部
７４，８３…収容具
７６，１０５，１０６…固定具
７８，９５…南京錠
８５ａ，１２４ａ…キーブロック
９３…カバー
９４…側板
１０７，１３４…チェーン鍵
１３２，１３３…貫通穴
【図１】
0004041184.tif 000002
【図２】
0004041184.tif 000003
【図３】
0004041184.tif 000004
【図４】
0004041184.tif 000005
【図５】
0004041184.tif 000006
【図６】
0004041184.tif 000007
【図７】
0004041184.tif 000008
【図８】
0004041184.tif 000009
【図９】
0004041184.tif 000010
【図１０】
0004041184.tif 000011
【図１１】
0004041184.tif 000012
【図１２】
0004041184.tif 000013